(57)【要約】【課題】安全性を確保しつつ、部品点数を少なくして高所作業用安全帯のバックルをよりコンパクトかつ軽量化し、製造コストの低減を図る。【解決手段】バックル本体１は、タングプレート２の係合孔４と係合する第１の位置と、係合孔から離脱する第２の位置をとるラッチ１０と、ラッチを常時第１の位置に向かって付勢する板バネ１３と、第１の位置にあるラッチを第２の位置へ移動させる操作レバー１４と、操作レバーをロックしてラッチが第１の位置に留まるようにするロック機構を備える。操作レバーは、バックル本体の幅方向にのびる軸１４ｄのまわりに回動すると共に、ラッチに係合する作動部１４ｂを有する。ロック機構は、バックル本体の幅方向に運動し、操作レバーをラッチの第１の位置に対応する位置にロックするロック位置と、ロック解除位置をとる制止部材１５と、制止部材を常時ロック位置に向かって付勢するスプリング１６からなる。【選択図】図２
0003136443.tif 000002
【実用新案登録請求の範囲】
【請求項１】
高所作業用安全帯の胴ベルトの一端に取り付けられたタングプレートと、前記胴ベルトの他端に取り付けられ、前記タングプレートの差込口を先端部に備えた箱型のバックル本体とからなり、前記タングプレートには係合孔が形成され、前記バックル本体には、前記差込口に挿入された前記タングプレートの係合孔と係合する第１の位置と、前記係合孔から離脱する第２の位置をとるラッチと、前記ラッチを常時前記第１の位置に向かって付勢するバネ部材と、前記第１の位置にあるラッチを前記バネ部材の付勢力に抗して前記第２の位置へ移動させる操作レバーと、前記操作レバーをロックして前記ラッチが前記第１の位置に留まるようにするロック機構が備えられた高所作業用安全帯のバックルにおいて、
前記操作レバーは、前記バックル本体に取り付けられ、前記ラッチが前記第１および第２の位置をとるのに対応して前記バックル本体の幅方向にのびる軸のまわりに回動可能になっているとともに、前記ラッチに係合する作動部を有し、
前記ロック機構は、前記バックル本体の幅方向に沿って運動可能に案内され、前記操作レバーを前記ラッチの前記第１の位置に対応する位置にロックするロック位置と、前記操作レバーの回動を許容するロック解除位置の間で移動可能とされた制止部材と、前記制止部材を常時前記ロック位置に向かって付勢する第２のバネ部材と、からなっていることを特徴とする高所作業用安全帯のバックル。
【請求項２】
前記バックル本体は、互いに結合されるベースおよびカバーを有し、前記ラッチは、前記タングプレートの係合孔に対応する突起を備え、一端縁において前記ベースに回動可能に軸支され、その回動範囲内で前記第１の位置と前記第２の位置をとり得るようになっており、前記バネ部材は、前記ラッチの一端側と前記ベースの間に配置された板バネからなり、前記操作レバーは、Ｌ字状断面を有し、一端の両側に設けられた棒状突起と、他端に設けられた前記ラッチに係合する作動部と、前記作動部の内側面に設けられた係止突起と、前記一端側の外側面に設けられた操作面と、を備え、前記操作レバーは、前記カバーの後端部に形成された開口内に収容され、前記棒状突起において前記カバーに軸支されて前記棒状突起の軸まわりに回動可能とされ、前記操作面が前記カバー表面と同一面内にあるとき、前記操作レバーは、前記ラッチの前記第１の位置に対応する位置にあり、前記操作面が使用者の指によって前記開口内に押し込まれることによって、前記操作レバーが回動し、前記第１の位置にある前記ラッチを前記第２の位置へ移動させるようになっていることを特徴とする請求項１に記載の高所作業用安全帯のバックル。
【請求項３】
前記ロック機構の前記制止部材は、細長い形状をなし、前記カバーの内側に取り付けられて、前記バックル本体の幅方向に沿って運動可能に案内され、前記制止部材は、一端側に設けられた第２操作面と、中央部に設けられた段差部とを有しており、前記操作レバーが前記ラッチの前記第１の位置に対応する位置にあるとき、前記制止部材は、前記第２操作面が前記カバーの側面に形成された第２開口と同一面内にあり、かつ前記制止部材の本体が前記操作レバーの前記係止突起と係合して前記ロック位置をとり、一方、前記第２操作面が使用者の指によって前記第２開口内に押し込まれて、前記制止部材１５の前記段差部と前記操作レバーの前記係止突起と整合したとき、前記ロック解除位置をとるようになっており、前記ロック機構の前記第２のバネ部材は、前記制止部材の他端と前記カバーとの間に配置されて、前記制止部材を常時前記ロック位置に向かって付勢するスプリングからなっていることを特徴とする請求項２に記載の高所作業用安全帯のバックル。
【考案の詳細な説明】
【技術分野】
【０００１】
本考案は、建築現場等の高所作業現場において使用される安全帯に関し、特に、その胴ベルトに取り付けられたバックルに関する。
【背景技術】
【０００２】
従来の高所作業用安全帯として、例えば、特許第３４３４３１４号や特許３４６２６０６号に記載されたものがある。高所作業用安全帯は、高所作業現場において作業者の安全を図るものであり、作業者に装着するための胴ベルトと、一端が胴ベルトに固定された命綱と、命綱の他端に固定されたフックからなっている。
【０００３】
そして、胴ベルトが作業者の胴部に装着される一方、フックが適当な固定物に係合され、作業者が万一落下した場合に、フック、命綱および胴ベルトを通じて、作業者が固定物に吊り下げ状態に支持されることで安全が確保されるようになっている。バックルは胴ベルトの一端に取り付けられたバックル本体と、胴ベルトの他端に取り付けられた舌状部材とからなり、胴ベルトを作業者の胴部に巻き付け、バックル本体にタングプレートを差込んで結合することによって、安全帯が作業者に装着されるようになっている。
【０００４】
この種のバックルには、安全確保の観点から、タングプレートをバックル本体と結合した状態にロックする機構が備えられ、ロックが解除されない限り、バックル本体からタングプレートが簡単に抜けないようになっている。そして、このロック機構が不用意に解除されることを防止するべく、バックルの構造が複雑になっていた。
【０００５】
このため、バックルを構成する部品点数がかなり多く、部品コストおよび組立てコストが増大するという問題を生じていた。さらには、バックルが大型化しかつ重くなって、高所作業現場での作業中に邪魔になるという問題があった。
【考案の開示】
【考案が解決しようとする課題】
【０００６】
したがって、本考案の課題は、ロック機構が不用意に解除されないようにかつ十分な強度を確保しつつ、部品点数を少なくして高所作業用安全帯のバックルをよりコンパクトかつ軽量化し、製造コストの低減を図ることにある。
【課題を解決するための手段】
【０００７】
上記課題を解決するため、本考案は、高所作業用安全帯の胴ベルトの一端に取り付けられたタングプレートと、前記胴ベルトの他端に取り付けられ、前記タングプレートの差込口を先端部に備えた箱型のバックル本体とからなり、前記タングプレートには係合孔が形成され、前記バックル本体には、前記差込口に挿入された前記タングプレートの係合孔と係合する第１の位置と、前記係合孔から離脱する第２の位置をとるラッチと、前記ラッチを常時前記第１の位置に向かって付勢するバネ部材と、前記第１の位置にあるラッチを前記バネ部材の付勢力に抗して前記第２の位置へ移動させる操作レバーと、前記操作レバーをロックして前記ラッチが前記第１の位置に留まるようにするロック機構が備えられた高所作業用安全帯のバックルにおいて、前記操作レバーは、前記バックル本体に取り付けられ、前記ラッチが前記第１および第２の位置をとるのに対応して前記バックル本体の幅方向にのびる軸のまわりに回動可能になっているとともに、前記ラッチに係合する作動部を有し、前記ロック機構は、前記バックル本体の幅方向に沿って運動可能に案内され、前記操作レバーを前記ラッチの前記第１の位置に対応する位置にロックするロック位置と、前記操作レバーの回動を許容するロック解除位置の間で移動可能とされた制止部材と、前記制止部材を常時前記ロック位置に向かって付勢する第２のバネ部材とからなっていることを特徴とする高所作業用安全帯のバックルを構成したものである。
【０００８】
上記構成において、好ましくは、前記バックル本体は、互いに結合されるベースおよびカバーを有し、前記ラッチは、前記タングプレートの係合孔に対応する突起を備え、一端縁において前記ベースに回動可能に軸支され、その回動範囲内で前記第１の位置と前記第２の位置をとり得るようになっており、前記バネ部材は、前記ラッチの一端側と前記ベースの間に配置された板バネからなり、前記操作レバーは、Ｌ字状断面を有し、一端の両側に設けられた棒状突起と、他端に設けられた前記ラッチに係合する作動部と、前記作動部の内側面に設けられた係止突起と、前記一端側の外側面に設けられた操作面と、を備え、前記操作レバーは、前記カバーの後端部に形成された開口内に収容され、前記棒状突起において前記カバーに軸支されて前記棒状突起の軸まわりに回動可能とされ、前記操作面が前記カバー表面と同一面内にあるとき、前記操作レバーは、前記ラッチの前記第１の位置に対応する位置にあり、前記操作面が使用者の指によって前記開口内に押し込まれることによって、前記操作レバーが回動し、前記第１の位置にある前記ラッチを前記第２の位置へ移動させるようになっている。
【０００９】
さらに、前記ロック機構の前記制止部材は、細長い形状をなし、前記カバーの内側に取り付けられて、前記バックル本体の幅方向に沿って運動可能に案内され、前記制止部材は、一端側に設けられた第２操作面と、中央部に設けられた段差部とを有しており、前記操作レバーが前記ラッチの前記第１の位置に対応する位置にあるとき、前記制止部材は、前記第２操作面が前記カバーの側面に形成された第２開口と同一面内にあり、かつ前記制止部材の本体が前記操作レバーの前記係止突起と係合して前記ロック位置をとり、一方、前記第２操作面が使用者の指によって前記第２開口内に押し込まれて、前記制止部材１５の前記段差部と前記操作レバーの前記係止突起と整合したとき、前記ロック解除位置をとるようになっており、前記ロック機構の前記第２のバネ部材は、前記制止部材の他端と前記カバーとの間に配置されて、前記制止部材を常時前記ロック位置に向かって付勢するスプリングからなっていることが好ましい。
【考案の効果】
【００１０】
本考案によれば、高所作業用安全帯のバックルを構成する部品点数を大幅に減らすことができ、それによって、バックルの構造を簡単かつコンパクトにし、バックルを軽量化することができる。その結果、バックルの製造コストを大幅に低減することができる。
【考案を実施するための最良の形態】
【００１１】
以下、添付図面を参照して本考案の好ましい実施例について説明する。図１は、本考案によるバックルが取り付けられた高所作業用安全帯の胴ベルトの斜視図であり、図２は、図１のバックルの分解斜視図である。また、図３は、図１のバックル本体をカバーの内側から見た一連の斜視図であり、操作レバーとロック機構との関係を説明する図である。
図１を参照して、本考案によるバックルは、高所作業用安全帯の胴ベルト３の一端に取り付けられたタングプレート２と、胴ベルト３の他端に取り付けられた箱型のバックル本体１とからなっている。なお、図示しないが、胴ベルト３には命綱の一端が固定され、命綱の他端にはフックが固定される。
【００１２】
次に、図２を参照して、タングプレート２には係合孔４が形成されている。また、バックル本体１は、カバー５、ベース６および裏板７からなり、止めネジ８により、カバー５、ベース６および裏板７が固定されるようになっている。ベース６は胴ベルト３の他端に取り付けられ、カバー５の先端部には、タングプレート２を挿入するための差込口９が形成される。
【００１３】
ベース６の先端および両側にはそれぞれ壁１２、１７が形成されている。ベース６の先端の壁１２は内向きに湾曲した半円筒形断面を有し、ベース６の両側の壁１７は、逆Ｌ字状断面を有している。壁１２は壁１７よりも低く形成されており、カバー５の差込口９から挿入されたタングプレート２は、壁１２の上面と、壁１７の水平部分の下面との間の間隙中を案内され、タングプレート２の先端が受け部材１８に当接するまで差し込まれるようになっている。
【００１４】
また、ベース６にはラッチ１０が備えられている。ラッチ１０は、タングプレート２の係合孔４に対応する大きさの突起１１を備え、一端側がベース６の壁１２の内側面に当接し、該一端の端縁を軸として回動し得るようになっている。そして、この回動範囲内において、ラッチ１０は、その突起１１によってタングプレート２の係合孔４に係合する第１の位置と、タングプレート２の係合孔４から離脱する第２の位置をとり得るようになっている。さらに、Ｖ字状断面の板バネ１３の一片１３ａ側がラッチ１０に結合され、かつ他片側１３ｂがベース１６に固定され、ラッチ１０は、板バネ１３によって支持されるとともに、常時第１の位置をとるように弾性付勢される。
【００１５】
図２および図３を参照して、バックル本体１には、また、第１の位置にあるラッチ１０を板バネ１３の付勢力に抗して第２の位置へ移動させる操作レバー１４が備えられる。操作レバー１４は、Ｌ字状断面を有し、一端の両側に棒状突起１４ｄを、他端にラッチ１０に係合する作動部１４ｂを有している。操作レバー１４は、さらに、作動部１４ｂの内側面に設けられた係止突起１４ｃを有している。
【００１６】
操作レバー１４は、カバー５の後端部に形成された開口５ａ内に収容されるとともに、棒状突起１４ｄにおいてカバー５に軸支され、ラッチ１０が第１および第２の位置をとるのに対応して、バックル本体１の幅方向にのびる棒状突起１４ｄの軸まわりに回動可能になっている。また、操作レバー１４の一端側には操作面１４ａが設けられている。そして、操作面１４ａがカバー５表面と同一面内にあるとき、操作レバー１４は、ラッチ１０の第１の位置に対応する位置にあり、操作面１４ａが、使用者の指によって開口５ａ内に押し込まれることによって、操作レバー１４が回動し、第１の位置にあるラッチ１０を第２の位置へ移動させるようになっている。
【００１７】
図２および図３を参照して、バックル本体１には、操作レバー１４をロックしてラッチ１０が第１の位置に留まるようにするロック機構が備えられる。ロック機構は、カバー５の内側に取り付けられて、バックル本体１の幅方向に沿って運動可能に案内された細長い制止部材１５を有している。制止部材１５は、一端側に操作面１５ｂを有し、また中央部に段差部１５ａを有している。
【００１８】
そして、操作レバー１４がラッチ１０の第１の位置に対応する位置にあるとき、制止部材１５は、その操作面１５ｂがカバー５の側面に形成された開口５ｂと同一面内にあり、かつ制止部材１５の本体が操作レバー１４の係止突起１４ｃと係合して操作レバー１４をロックするロック位置をとる（図３Ａ参照）。また、制止部材１５の操作面１５ｂが、使用者の指によって開口５ｂ内に押し込まれることによって、制止部材１５の段差部１５ａと操作レバー１４の係止突起１４ｃと整合し（図３Ｂ参照）、制止部材１５は、操作レバー１４の回動を許容するロック解除位置をとる（図３Ｃ参照）。
ロック機構は、さらに、制止部材１５の他端とカバー５との間に配置されて、制止部材１５を常時ロック位置に向かって付勢するスプリング１６を有している。
【００１９】
次に、本考案によるバックルの動作方法について説明する。図４は、図１のバックルのバックル本体とタングプレートとの連結および分離動作を説明する図である。なお、明瞭にするため、図４では、タングプレート、ラッチおよび操作レバーの動作を図示し、他の構成要素の詳細は省略した。
【００２０】
まず、図４Ａを参照して、バックル本体１にタングプレート２が挿入されない状態では、ラッチ１０は第１の位置にあり、操作レバー１４はそれに対応する位置にあって、その作動部１４ｂにおいてラッチ１０に係合している。また、操作レバー１４は、ロック機構によってこの位置にロックされている。
【００２１】
高所作業用安全帯が使用者に装着されるとき、胴ベルト３が使用者の胴に巻きつけられ、図４Ｂに示すように、タングプレート２がバックル本体１の差込口９に挿入される。この場合、タングプレート２が差込口９からバックル本体１内に導入されるにつれて、ラッチ１０は一旦第１の位置から少し押し下げられるが、図４Ｃに示すように、タングプレート２の先端が受け部材１８に当接するとともに、ラッチ１０の突起部１１がタングプレート２の係合孔４に整合したとき、突起部１１がタングプレート２の経路内に突出して係合孔４と係合し、ラッチ１０は第１の位置をとる。
【００２２】
こうして、タングプレート２がバックル本体１に結合され、胴ベルト３が使用者の胴に装着される。このとき、操作レバー１４はロック機構によってロックされているので（図３Ａ参照）、操作レバー１４が不用意に操作されてラッチ１０とタングプレート２の係合状態が解除されることがなく、使用者は安全に作業を行うことができる。
【００２３】
そして、高所作業用安全帯が使用者から取り外されるとき、ロック機構の制止部材１５の操作面１５ｂが使用者の指によって押されて操作レバー１４のロックが解除され（図３Ｂ参照）、さらに、操作レバー１４の操作面１４ａが使用者の指によって押され、それによって、図４Ｄに示すように、操作レバー１４が棒状突起１４ｄのまわりに回動し、ラッチ１０は、操作レバー１４の作動部１４ｂによって、第１の位置から第２の位置へ移動せしめられる。このとき、タングプレート２は受け部材１８の上面によって制止されてラッチの回動に追従することがなく、ラッチ１０の突起部１１はタングプレート２の係合孔４から容易に離脱する。こうして、タングプレート２とラッチ１０との係合が解除され、タングプレート２がバックル本体１から抜き取られる。
【００２４】
バックル本体１からタングプレート２から抜き取られた後、使用者の指が操作レバー１４の操作面１４ａから離されると、図４Ａに示すように、操作レバー１４は、ラッチ１０が板バネ１３の付勢力によって第１の位置に復帰するのに伴って回動して元の位置にもどる（図４Ａ参照）。さらに、使用者の指が制止部材１５の操作面１５ｂから離され、制止部材１５は、スプリング１６の付勢力によってロック位置に復帰する（図３Ａ参照）。
【００２５】
図５は、本考案の別の実施例の分解斜視図である。図５に示した実施例は、図１〜図４に示した実施例と、操作レバーおよびロック機構の構成が異なるだけである。したがって、図５中、図１〜図４に示した構成要素と同じものについては同一番号を付して詳細な説明を省略する。図５に示すように、この実施例では、操作レバー１４’は、断面が楔状の操作ブロック１４ａ'と、操作ブロック１４ａ’の両側に形成された棒状突起１４ｄ’を有している。そして、操作レバー１４’は、操作ブロック１４ａ'がカバー５上面に形成された開口５ａ'から突出するような配置で、棒状突起１４ｄ’においてカバー５に軸支されて、ラッチ１０が第１および第２の位置をとるのに対応して、棒状突起１４ｄ’の軸のまわりに回動可能になっている。そして、操作ブロック１４ａ'が開口５ａ'から最も突出した位置にあるとき、操作レバー１４’は、ラッチ１０の第１の位置に対応する位置にあり、操作ブロック１４’が、使用者の指によって開口５ａ'内に押し込まれることによって操作レバー１４’が回動し、第１の位置にあるラッチ１０を第２の位置へ移動させるようになっている。
【００２６】
また、この実施例では、ロック機構は、カバー５の内側に取り付けられて、バックル本体１の幅方向に沿って運動可能に案内された細長い板状の制止部材１５’を有している。制止部材１５’は、一方の側面に操作突起１５ｂ’を有し、他方の側面に制止突起１５ａ'を有している。そして、操作突起１５ｂ’が、カバー５の後端部に形成された開口５ｂ’から露出し、かつ制止部材１５’の運動に伴ってこの開口５ｂ’内で移動し得るようになっている。
【００２７】
そして、操作レバー１４’がラッチ１０の第１の位置に対応する位置にあるとき、制止部材１５’は、その操作突起１５ｂ’が開口５ｂ’の一端側にあり、かつ制止突起１５ａ'が操作レバー１４’の係止突起１４ｃ’に当接して操作レバー１４’をロックするロック位置をとる。また、制止部材１５’の操作突起１５ｂ’が、使用者の指によって開口５ｂ’の他端側に移動せしめられることによって、制止部材１５’の制止突起１５ａ'と操作レバー１４’の係止突起１４ｃ’が離れ、制止部材１５’は、操作レバー１４’の回動を許容するロック解除位置をとる。
ロック機構は、さらに、制止部材１５’の一端とカバー５との間に配置されて、制止部材１５’を常時ロック位置に向かって付勢するスプリング１６を有している。
【図面の簡単な説明】
【００２８】
【図１】本考案によるバックルが取り付けられた高所作業用安全帯の胴ベルトの斜視図である。
【図２】図１のバックルの分解斜視図である。
【図３】図１のバックル本体をカバーの内側から見た一連の斜視図であり、操作レバーとロック機構との関係を説明する図である。
【図４】図１のバックルのバックル本体とタングプレートとの連結および分離動作を説明する図である。
【図５】本考案の別の実施例の分解斜視図である。
【符号の説明】
【００２９】
１  バックル本体
２  タングプレート
３  胴ベルト
４  係合孔
５  カバー
５ａ、５ｂ  開口
６  ベース
７  裏板
８  止めネジ
９  差込口
１０  ラッチ
１１  突起部
１２  壁
１３  板バネ
１４  操作レバー
１４ａ  操作面
１４ｂ  作動部
１４ｃ  係止突起
１４ｄ  棒状突起
１５  制止部材
１５ａ  段差部
１５ｂ  操作面
１６  スプリング
１７  壁
１８  受け部材
【図１】
0003136443.tif 000003
【図２】
0003136443.tif 000004
【図３】
0003136443.tif 000005
【図４】
0003136443.tif 000006
【図５】
0003136443.tif 000007